(57)【要約】【課題】複合機能付画像形成装置において、原稿搬送系統と転写紙搬送系統を共通利用することにより、スキャンした原稿自体に印字を行うことが可能となった。しかし一方で、スキャンした原稿に印字を行うためには、原稿を紙搬送経路中に滞留させておく必要があるため、その間別のスキャン動作、または印字動作をすることができない。【解決手段】スキャンした原稿自体に印字を行う場合には、印字を実行するまで原稿を紙搬送経路中に滞留させるのではなく、画像形成装置の外に完全に排紙し、印字が必要なタイミングで再給紙することにより、紙搬送経路が占有される時間が短くなるように制御する。【選択図】図１１
2016054429.tif 000002
【特許請求の範囲】
【請求項１】
給紙部と排紙部とを有する情報処理装置であって、
前記給紙部から給紙される原稿をスキャンして画像情報を取得するスキャン動作制御手段と、
記録材に画像情報を印刷する印刷動作制御手段と、
スキャンされた原稿を前記排紙部に排紙するように制御する排紙制御手段と、
前記排紙部に排紙された原稿を再び第１の給紙部から給紙する再給紙手段と、を有し、
前記再給紙手段によって再給紙された原稿に対して前記印刷動作制御手段によって画像情報を印字する、
ことを特徴とする情報処理装置。
【請求項２】
前記スキャン動作制御手段にてスキャンして得られた画像情報をファックス送信するファックス送信動作制御手段と、
前記ファックス送信の結果を判断する送信結果判断手段と、を更に有し、
前記送信結果判断手段によるファックス送信結果の判断に応じて、
前記再給紙手段により再給紙された原稿に対して前記印刷動作制御手段によってファックス送信結果を印刷する
ことを特徴とする請求項１記載の情報処理装置。
【請求項３】
給紙部と排紙部とを有する画像形成装置であって、
前記給紙部から給紙される原稿をスキャンして画像情報を取得するスキャン動作制御手段と、
記録材に画像情報を印刷する印刷動作制御手段と、
スキャンされた原稿を前記排紙部に排紙するように制御する排紙制御手段と、
前記排紙部に排紙された原稿を再び前記給紙部から給紙する再給紙手段と、
画像比較手段を有し、
第１のスキャンが実行されて前記排紙部に排紙された原稿で、前記再給紙手段によって再給紙された原稿を前記スキャン動作制御手段にて第２のスキャンを実行し、
前記画像比較手段によって、前記第１のスキャンによって得られた画像情報と前記第２のスキャンによって得られた画像情報を比較し、同じ画像であると判断された場合に、前記印刷動作制御手段によって前記再給紙手段によって再給紙された原稿に対して画像情報を印刷する
ことを特徴とする画像形成装置。
【請求項４】
前記スキャン動作制御手段にてスキャンして得られた画像情報をファックス送信するファックス送信動作制御手段を、更に有し、
前記再給紙手段により再給紙された原稿に対して前記印刷動作制御手段によって印字する画像情報はファックス送信結果であること、ことを特徴とする請求項３記載の画像形成装置。
【請求項５】
前記画像比較手段によって異なる画像であると判断された場合には、操作パネルに注意喚起の表示を行う、
ことを特徴とする請求項３または４に記載の画像形成装置。
【請求項６】
前記画像比較手段によって異なる画像であると判断された場合には、前記原稿を前記排紙部に排紙し、
前記画像比較手段によって同じ画像であると判断された場合には、前記再給紙手段によって再給紙された原稿に対して前記印刷動作制御手段によって画像情報を印刷し、前記排紙部とは異なる排紙部に排紙する
ことを特徴とする請求項３または４に記載の画像形成装置の制御方法。
【請求項７】
前記排紙部に排紙された原稿を再び前記給紙部へ移動させる移動手段を有する、
ことを特徴とする請求項１乃至６の画像形成装置。
【請求項８】
前記移動手段は、
前記排紙部から前記給紙部へ原稿が落ちるように構成されていることを特徴とする
請求項７に記載の情報処理装置の制御方法。
【請求項９】
給紙部と排紙部とを有する情報処理装置の制御方法であって、
前記給紙部から給紙される原稿をスキャンして画像情報を取得するスキャン動作制御工程と、
記録材に画像情報を印刷する印刷動作制御工程と、
スキャンされた原稿を前記排紙部に排紙するように制御する排紙制御工程と、
前記排紙部に排紙された原稿を再び第１の給紙部から給紙する再給紙工程と、を有し、
前記再給紙工程によって再給紙された原稿に対して前記印刷動作制御工程によって画像情報を印字する、
ことを特徴とする情報処理装置の制御方法。
【請求項１０】
給紙部と排紙部とを有する画像形成装置の制御方法であって、
前記給紙部から給紙される原稿をスキャンして画像情報を取得するスキャン動作制御工程と、
記録材に画像情報を印刷する印刷動作制御工程と、
スキャンされた原稿を前記排紙部に排紙するように制御する排紙制御工程と、
前記排紙部に排紙された原稿を再び前記給紙部から給紙する再給紙工程と、
画像比較工程を有し、
第１のスキャンが実行されて前記排紙部に排紙された原稿で、前記再給紙工程によって再給紙された原稿を前記スキャン動作制御工程にて第２のスキャンを実行し、
前記画像比較工程によって、前記第１のスキャンによって得られた画像情報と前記第２のスキャンによって得られた画像情報を比較し、同じ画像であると判断された場合に、前記印刷動作制御工程によって前記再給紙工程で再給紙された原稿に対して画像情報を印刷する
ことを特徴とする画像形成装置の制御方法。
【請求項１１】
請求項９に記載の情報処理装置の制御方法をコンピュータに実行させるためのプログラム。
【請求項１２】
請求項１０に記載の画像形成装置の制御方法をコンピュータに実行させるためのプログラム。
【発明の詳細な説明】
【技術分野】
【０００１】
本発明は、オートドキュメントフィーダユニット（以下、ＡＤＦ）に代表される、画像読み取り装置、またはＡＤＦを搭載する複写機やレーザービームプリンタ（以下、ＬＢＰ）、ファクシミリに代表される複合機能付画像形成装置などの情報処理装置に関するものである。
【背景技術】
【０００２】
従来、この種の情報処理装置において、原稿搬送式画像読み取り手段の原稿搬送系統と、印字紙に対する印字手段の印字紙搬送系統は互に独立に構成されている。即ち、原稿搬送系統と印字紙搬送系統は互に独立してそれぞれに、原稿または印字紙の給紙部、給紙手段、所定の搬送経路を構成するガイド部材、複数の搬送ローラ、同ローラへの駆動力伝達手段、駆動源であるモータ、同モータの駆動回路、排紙部等が配設されて構成されている。
【０００３】
このため、情報処理装置の全体的な機構構成の複雑化、コストの増大および装置サイズの大型化を避けられなかった。この問題を解決するために、特開２０００−１８５８８１号公報では、給紙部から排紙部に至る転写紙搬送経路中に画像読み取り手段を配設することで、原稿搬送系統と転写紙搬送系統を共通利用し、構成の簡素化と、コストダウンおよびサイズダウンすることが提案されている。
【０００４】
また、この原稿搬送系統と転写紙搬送系統を共通利用するという特徴により、スキャンした原稿自体に印字を行うことが可能となる。この特徴を利用すると、例えば原稿をスキャンしてファックス送信を行う場合に、スキャンした原稿自体に送信結果を印字する、いわゆる「済スタンプ」を実施することができる。
【先行技術文献】
【特許文献】
【０００５】
【特許文献１】特開２０００−１８５８８１号公報
【発明の概要】
【発明が解決しようとする課題】
【０００６】
しかしながら、スキャンした原稿に印字を行うためには、原稿を紙搬送経路中に滞留させておく必要があるため、その間、別のスキャン動作、または印字動作をすることができない。特にファックス送信に対する済スタンプを実施する場合には、送信解像度や送信リダイヤルなどの設定に応じて送信結果の確定に多くの時間を要するため、その間、紙搬送経路は使用できなくなり、情報処理装置を占有してしまうこととなる。
【０００７】
本発明は、上記課題を解決するためになされたもので、本発明の目的は、スキャンした原稿に送信結果を印刷する場合の装置の使用効率を高めることである。
【課題を解決するための手段】
【０００８】
給紙部と排紙部とを有する情報処理装置であって、
前記給紙部から給紙される原稿をスキャンして画像情報を取得するスキャン動作制御手段と、
記録材に画像情報を印刷する印刷動作制御手段と、
スキャンされた原稿を前記排紙部に排紙するように制御する排紙制御手段と、
前記排紙部に排紙された原稿を再び第１の給紙部から給紙する再給紙手段と、を有し、
前記再給紙手段によって再給紙された原稿に対して前記印刷動作制御手段によって画像情報を印字する、
ことを特徴とする情報処理装置。
【発明の効果】
【０００９】
以上のように、スキャンした原稿自体に印字を行う場合には、印字を実行するまで原稿を紙搬送経路中に滞留させるのではなく、情報処理装置の外に排紙し、印字が必要なタイミングで再給紙することにより、紙搬送経路が占有される時間を短くすることができるようになる。そして、スキャンした原稿に印字するまでに、別のジョブを実行することができ、装置の使用効率を高くすることができるようになる。
【図面の簡単な説明】
【００１０】
【図１】複合機能付画像形成装置の概略図
【図２】両面印刷プロセスの説明図
【図３】原稿表面の読み取り開始時の説明図
【図４】原稿表面である第一面目の読み取り終了時の説明図
【図５】原稿裏面である第二面目の読み取り開始時の説明図
【図６】原稿裏面の読み取り終了時の説明図
【図７】記録材Ｓへの画像形成が完了を説明する図
【図８】制御ＣＰＵを中心とした電装のブロック図
【図９】画像読み取り部の回路のブロック図
【図１０】画像形成装置のシステム構成を説明する図
【図１１】ファックス送信時に送信結果に応じた済スタンプ印字する処理の流れを示すフローチャート
【図１２】ファックス送信設定を行うための画面の一例を示す図
【図１３】送信の詳細な設定を行うための画面の一例を示す図
【図１４】済スタンプの設定を行うための画面の一例を示す図
【図１５】再給紙した原稿の読み取り開始時の説明図
【図１６】再給紙した原稿への済スタンプ印字完了を説明する図
【図１７】ファックス送信時に送信結果に応じた済スタンプ印字する処理の流れを示すフローチャート
【図１８】再給紙した原稿が送信原稿と異なる場合に表示する画面の一例を示す図
【発明を実施するための形態】
【００１１】
＜実施例１＞
情報処理装置に関する本発明を実施するための形態を、以下画像形成装置を例にとり、図面を用いて説明する。
［画像形成プロセス］
画像形成装置における画像形成プロセスについて説明する。
図１は、複合機能付画像形成装置の概略図である。画像形成装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面は、電荷による潜像画像を形成する。現像ローラ１１が回転しながら、感光ドラム１０表面の潜像画像に、保持しているトナーを供給すると、感光ドラム１０の表面には、トナー画像が形成される。
【００１２】
一方、第１給紙部３０に収納された記録材Ｓは、ＣＳＴピックアップローラ３１と分離手段３２により、一枚ずつ搬送ローラ４０に搬送される。搬送ローラ４０は、感光ドラム１０の表面のトナー画像と記録材Ｓの先端位置のタイミングを合わせるように、記録材Ｓを転写部１５へと搬送する。
【００１３】
感光ドラム１０の回転により転写部１５に搬送されるトナー画像は、転写部１５に付与される印加バイアスと圧力によって、記録材Ｓに転写される。さらに、転写部１５は、記録材Ｓを定着部５０に搬送する。定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。
片面印刷の場合、排紙ローラ６０は記録材Ｓをそのまま機外へ搬送し、記録材Ｓは第１排紙部７０に積載される。
これら画像形成装置１を構成する各要素は、図８とともに後述する電装８００によって制御されている。
【００１４】
図２は、両面印刷プロセスの説明図である。両面フラッパ６１は記録材Ｓの後端が通過した後、搬送路を切り替える。その後、排紙ローラ６０は逆回転し、記録材Ｓを両面搬送路８０へ搬送する。スイッチバックした記録材Ｓは、搬送ローラ４１を介して画像読み取り部１００に搬送される。その後、記録材Ｓは、搬送ローラ４２及び４０に搬送され、再び転写部１５へ搬送され、トナー画像の転写、定着を経て、第１排紙部７０に積載されていく。
【００１５】
［両面原稿の情報の読み取りと両面印刷プロセス：両面コピー］
次に、両面原稿の情報の読み取りと、記録材Ｓへの両面印刷を実施するプロセスについて説明する。
（１）第一面目の読み取り
図３は、原稿表面の読み取り開始時の説明図である。第２給紙部９０に収納された原稿Ｇは、ＣＩＳピックアップローラ９１と分離手段９２により、一枚ずつ搬送ローラ４１に搬送される。一方、画像読み取り部１００は、第２給紙部９０から給紙された原稿Ｇが原稿表面である第一面目の読み取り開始前までに白基準部材１０１への発光と、白基準値の修正を実施した後、両面搬送路８０に対面する位置に回転する。搬送ローラ４１は、原稿Ｇを、画像読み取り部１００に搬送する。既に画像読み取り部１００は両面搬送路８０に対面する位置に待機しており、画像読み取り部１００で読み取られた情報は、追って図８とともに詳細を説明する画像メモリ８０４に原稿第一面目の情報として記憶される。なお、白基準部材１０１は、下向きに配置されており、ごみ付着に対する配慮がなされているのである。
【００１６】
図４は、原稿表面である第一面目の読み取り終了時の説明図である。画像読み取り部１００を通過した原稿Ｇは、搬送ローラ４２に搬送される。搬送ローラ４２は、原稿Ｇの後端がスイッチバックフラッパ８２を通過した時点で停止する。よって、原稿Ｇは搬送ローラ４２に挟持された状態で停止している。所定時間の経過後、原稿専用搬送路８１へ搬送されるように構成されている。
【００１７】
（２）第二面目の読み取り
図５は、原稿裏面である第二面目の読み取り開始時の説明図である。スイッチバックフラッパ８２が搬送路を、両面搬送路８０から原稿専用搬送路８１に切り替えると同時に、画像読み取り部１００は、原稿専用搬送路８１に対面する位置に回転する。搬送ローラ４２が逆回転すると、原稿Ｇは、原稿専用搬送路８１に沿って、画像読み取り部１００に搬送される。原稿Ｇが画像読み取り部１００に搬送され通過することで、原稿裏面である第二面目の情報を読み取り画像メモリ８０４に原稿第二面目の情報として記憶する。
【００１８】
（３）第二面目の印刷
第二面目の読み取りが実行される一方、第１の給紙部３０から給紙された記録材Ｓは、１枚ずつ搬送ローラ４０に搬送される。ほぼ同時に画像メモリ８０４に記憶された原稿裏面である第二面目の情報を基に発光部２１から先の画像情報に基づく感光ドラム１０への潜像画像が形成される。次に記録材Ｓは転写部１５で潜像画像により形成されたトナー画像を転写されたのち、定着部５０等を搬送され、原稿第二面目の画像形成が完了する。
なお、図５では原稿裏面である第二面の情報を読み取り開始とともに記録材Ｓの給紙を開始しているが、第二面の情報を読み取ったのち記録材Ｓを搬送しても良い。
【００１９】
図６は、原稿裏面の読み取り終了時の説明図である。画像読み取りを終了した原稿Ｇは、搬送ローラ４３及び４４に搬送され、第２排紙部１１０に積載される。スイッチバックフラッパ８２は、原稿Ｇの後端が通過すると、記録材Ｓが搬送ローラ４０の方向に搬送されるよう、搬送路を原稿専用搬送路８１から両面搬送路８０へ切り替える。原稿第二面目の画像形成が完了した記録材Ｓは、排紙ローラ６０の逆回転によって、記録材Ｓを両面フラッパ６１によって切り替えられた両面搬送路８０に向けて搬送する。
【００２０】
（４）第一面目の印刷
図７は、記録材Ｓへの画像形成が完了を説明する図である。両面搬送路８０に搬送された記録材Ｓは、反転している画像読み取り部１００を通過し、搬送ローラ４２を介して、搬送ローラ４０に搬送される、更に搬送され破線で記載されている記録材Ｓにあるように再び転写部１５へ搬送される。既に記録材Ｓには、原稿第二面目の画像形成が終了しており、先の画像メモリ８０４に記憶された原稿第一面目の画像情報に基づき、原稿第一面目の画像が、光学ユニット２と感光ドラム１０と現像ローラ１１と転写部１５と定着部５０とによって構成される画像形成手段によってトナー画像の転写及び定着を経て、第１排紙部７０に積載されていく。
【００２１】
［画像形成装置の制御］
図８は、画像形成装置１の制御手段である制御ＣＰＵ８０１を中心とした電装８００のブロック図である。
図８を参照して、本発明の画像形成装置１の実施例１の画像形成動作における制御ＣＰＵ８０１およびＡＳＩＣ８０２の動作について説明する。
［制御ＣＰＵの動作］
図８は、制御ＣＰＵ８０１が制御する各ユニットの構成を示す図である。図８において、制御ＣＰＵ８０１は、ポリゴンミラー、モータ及びレーザ発光素子などを含む発光部２１に、ＡＳＩＣ８０２を介して接続されており、感光ドラム１０面上にレーザ光を走査することにより所望の潜像を描くため、ＡＳＩＣ８０２に対して制御信号を出力することによって光学ユニット２の制御を行う。同様に、制御ＣＰＵ８０１は、記録材Ｓを搬送するためにＣＳＴピックアップローラ３１及び搬送ローラ４０、感光ドラム１０、転写部１５、加熱ローラ５１、加圧ローラ５２を駆動するためのメインモータ８３０、記録材Ｓを給紙する給紙ローラの駆動開始時にオンしてＣＳＴピックアップローラ３１を駆動させるためのＣＳＴ給紙ソレノイド８２２、ＣＩＳピックアップローラ９１と搬送ローラ４１４４を駆動するための両面駆動モータ８４０などの駆動系を制御する。
さらに制御ＣＰＵ８０１は、電子写真プロセスに必要な１次帯電、現像、１次転写、２次転写バイアスを制御する高電圧電源８１０、並びに定着部５０及び低電圧電源８１１を制御する。さらに、制御ＣＰＵ８０１は、定着部５０に設けられたサーミスタ（図示せず）により温度をモニタし、定着温度を一定に保つ制御を行う。
また、制御ＣＰＵ８０１は、バス等（図示せず）を介してプログラムメモリ８０３に接続されており、プログラムメモリ８０３には、以上の制御及び本明細書に記載される各実施形態において制御ＣＰＵ８０１が行う処理のすべて又は一部を実行するためのプログラム及びデータが格納される。すなわち、制御ＣＰＵ８０１は、プログラムメモリ８０３に格納されたプログラム及びデータを用いて本発明の各実施形態の動作を実行する。
【００２２】
［ＡＳＩＣの動作］
ＡＳＩＣ８０２は、制御ＣＰＵ８０１の指示に基づいて光学部２１内部のモータ速度制御、メインモータ８３０および両面駆動モータ８４０の速度制御を行う。モータの速度制御は、モータ（図示せず）からのタック信号（モータが回転されるごとにモータから出力されるパルス信号）を検出して、タック信号の間隔が所定の時間となるようモータに対し加速又は減速信号を出力して行う。
このように、制御回路は、ＡＳＩＣ８０２のハードウエアによる回路で構成したほうが、制御ＣＰＵ８０１の制御負荷の低減が図れるメリットがある。制御ＣＰＵ８０１は、ホストコンピュータ（図示せず）から指示されたプリントコマンドを受信すると、メインモータ８３０、両面駆動モータ８４０、ＣＳＴ給紙ソレノイド８２２を駆動して記録材Ｓを搬送する。
【００２３】
記録材Ｓは、転写部１５により感光ドラム１０表面に形成されたトナー像が転写された後、定着部５０によりトナー像が定着されてから、排紙ローラ６０により記録材積載部としての第１排紙部７０へ排出される。画像形成済み記録材Ｓの整列性を高めるため、第１排紙部７０は排紙口付近から記録材排出方向に向けてゆるやかな上り勾配が設けられている。ここで制御ＣＰＵ８０１は、定着部５０に対して低電圧電源８１１を介して所定の電力を供給することよって所望の熱量を発生させて記録材Ｓに与え、記録材上のトナー画像を融着し定着させる。
【００２４】
［画像読み取り部とスキャン動作］
次に本実施例におけるスキャン動作について説明する。制御ＣＰＵ８０１は、画像形成装置１の図示しないスキャンスタートキーの押下を検知すると、両面フラッパソレノイド８２０、両面駆動モータ８４０を駆動し、ＣＩＳ給紙ソレノイドを操作することで、両面駆動モータ８４０のトルクをＣＩＳピックアップローラ９１に伝達させ、原稿Ｇを搬送する。また画像読み取り部１００は、後述する各種制御信号であるＣＩＳＬＥＤ、ＣＩＳＳＴＡＲＴ、ＳＹＳＣＬＫ、Ｓｌ＿ｉｎ、Ｓｌ＿ｓｅｌｅｃｔ、Ｓｌ＿ｏｕｔによりＡＳＩＣ８０２に接続されている。制御ＣＰＵ８０１は、ＡＳＩＣ８０２を介して各種制御により画像読み取り部１００から読み取った画像をＡＳＩＣ８０２に接続されている画像メモリ８０４に保存する。その後、制御ＣＰＵ８０１は、スイッチバックソレノイド８２１を操作して、スイッチバックフラッパ８２を原稿専用搬送路側に倒し、両面駆動モータ８４０を反転し、原稿Ｇを第２排紙部１１０まで搬送をする。
【００２５】
次に画像読み取り部１００の詳細について説明する。
図９は、画像読み取り部１００の回路のブロック図を示した図である。
９０１は、ＣＩＳセンサ（Ｃｏｎｔａｃｔ  Ｉｍａｇｅ  Ｓｅｎｓｏｒ）部であり、例えば１０３６８画素分のフォトダイオードが特定の主走査密度（例えば１２００ｄｐｉ）でアレイ状に配置される。９０２及び９１５はＣＩＳセンサに与えるスタートパルスＣＩＳＳＴＡＲＴ信号および転送クロックＣＩＳＣＬＫ、９１４はＣＩＳセンサ部の動作速度を決めるシステムクロックＳＹＳＣＬＫ、９０８はＡ／Ｄコンバータ、９１６はＡ／Ｄコンバータのサンプリング速度を決定するＣＩＳサンプリングクロックＡＤＣＬＫ、９１７はタイミングジェネレータ、９０４は出力バッファ、９０５はシフトレジスタ、９０３は発光素子制御信号ＣＩＳＬＥＤ、９０６は電流増幅手段、９０７は原稿Ｇを均一に照射する発光素子である。
【００２６】
次に動作について説明する。
ＣＩＳＳＴＡＲＴ信号９０２をアクティブとすると、ＣＩＳセンサ部９０１は受光した光に基づく電荷の蓄積を開始し、出力バッファ９０４にデータを順次セットする。次に、転送クロックＣＩＳＣＬＫ９１５（例えば５００ｋＨｚ１ＭＨｚ程度）を与えると、出力バッファ９０４にセットされたデータは、シフトレジスタ９０５によって、ＣＩＳＳＮＳ信号９１８として、Ａ／Ｄコンバータ９０８ヘと転送される。このＣＩＳＳＮＳ信号９１８には所定のデータ保証領域があるため、転送クロックＣＩＳＣＬＫ９１５の立ち上がりタイミングから所定の時間が経過したのちにサンプリングする必要がある。またＣＩＳＳＮＳ信号９１８は、転送クロックＣＩＳＣＬＫ９１５の立ち上がりと立下りの双方のエッジに同期して出力される。そのため、ＣＩＳサンプリングクロックＡＤＣＬＫ９１６の周波数は、転送クロックＣＩＳＣＬＫ９１５の２倍となるように生成され、ＣＩＳサンプリングクロックＡＤＣＬＫ９１６の立ち上りエッジにて、ＣＩＳＳＮＳ信号９１８がサンプリングされる。タイミングジェネレータ９１７は、システムクロックＳＹＳＣＬＫ９１４を分周して、ＣＩＳサンプリングクロックＡＤＣＬＫ９１６および転送クロックＣＩＳＣＬＫ９１５を生成し、ＣＩＳサンプリングクロックＡＤＣＬＫ９１６の位相は、転送クロックＣＩＳＣＬＫ９１５と比べ、前記データ保証領域分だけ遅延している。
【００２７】
Ａ／Ｄコンバータ９０８でディジタル変換されたＣＩＳＳＮＳ信号９１８は、出力インターフェース回路９０９によって所定のタイミングで制御されて、９１０のＳｌ＿ｏｕｔ信号にシリアルデータとして出力される。その際、スタートパルスＣＩＳＳＴＡＲＴ９０２から所定画素分のＣＩＳＳＮＳ信号９１８には、アナログ出力基準電圧が出力されており、有効画素としては使用できない。
一方、９１１の制御回路によって、Ｓｌ＿ｉｎ信号９１２およびＳｌ＿ｓｅｌｅｃｔ信号９１３によりＡ／Ｄコンバータ９０８のＡ／Ｄ変換ゲインが可変制御できる。例えば、撮像した映像のコントラストが得られない場合は、制御ＣＰＵ８０１はＡ／Ｄコンバータ９０８のＡ／Ｄ変換ゲインを大きくすることによりコントラストを増加させ、常に最良なコントラストで撮像することができる。
ここでは、すべての画素が一つの出力信号ＣＩＳＳＮＳ信号９１８として出力される系にて説明を行なったが、高速読み取りのために画素をエリアごとに分割し、複数エリアを同時にＡ／Ｄ変換を行なっても良い。また、ここまで画像読み取り部１００にＣＩＳセンサを用いて説明を行なってきたものの、ＣＭＯＳセンサやＣＣＤセンサ等で置き換えることも可能である。
【００２８】
［ファックス送信時の済スタンプの印字］
次に、図１０から図１６を使用して、本実施形態におけるファックス送信時の済スタンプ印字方法について説明する。
図１０は、本実施形態における画像形成装置１の構成の一例を示したものである。画像形成装置１には、画像形成装置１全体の動作を制御するための動作制御部１００１がある。動作制御部１００１の配下には、スキャン動作制御部１００２と印刷動作制御部１００３とファックス送信動作制御部１００４が配置され、各制御部はそれぞれスキャン処理、印刷処理、ファックス送信処理を実行する。
【００２９】
図１１のフローチャートを用いて、ファックス送信時に送信結果に応じた済スタンプ印字方法について説明する。なお本フローに係る画像形成装置１のプログラムは、画像形成装置１のプログラムメモリ８０３に記憶されており、制御ＣＰＵ８０１が前記制御部１００１から１００４を用いることにより実行される。
【００３０】
（Ｓ１１０２）
ステップＳ１１０２では、ファックス送信の設定を行う。
ここで、図１２〜図１４の各種設定用の画面を参照して、ステップＳ１１０２を詳細に説明する。
図１２は、動作制御部１００１が画像形成装置１の図示しない操作パネルに、ファックス送信設定用の画面を表示した一例である。設定画面１２０１には、ユーザへの操作説明１２０２と、ファックス送信宛先を設定するためのボタン１２０３、送信解像度を設定するためのボタン１２０４、原稿サイズを設定するためのボタン１２０５が配置される。さらに「その他の機能」ボタン１２０６は、より詳細な送信設定を行うためのボタンである。
【００３１】
図１３は、「その他の機能」ボタン１２０６が押下された場合に操作パネルに表示される設定画面１３０１である。設定画面１３０１には、両面原稿を送信する場合に設定するためのボタン１３０２や、濃度設定のためのボタン１３０３、シャープネス設定のためのボタン１３０４とともに、済スタンプ設定を行うためのボタン１３０５が配置される。
【００３２】
図１４は、「済スタンプ」ボタン１３０５が押下された場合に操作パネルに表示される済スタンプ設定画面１４０１である。済スタンプ設定画面１４０１には、済スタンプを原稿の「上端」、「下端」のどの位置に印字するかを設定するためのボタン１４０２と１４０３が配置される。この画面１４０１では、「上端」に印字することが選択された状態であることを示している。また同画面１４０１には、済スタンプを印字する条件を設定するためのボタン１４０４から１４０６が配置される。済スタンプを送信結果によらず「常に印字」する場合には１４０４、送信「成功時のみ」印字する場合には１４０５、送信「エラー時のみ」印字する場合には１４０６を選択することとなる。ここでは、送信成功した場合に済スタンプを印字する設定となっていることを表している。
【００３３】
（Ｓ１１０３）
すべての送信設定が終了すると、ステップＳ１１０３へと進み、動作制御部１００１は画像形成装置１の図示しない操作パネルにおけるスキャンスタートキーが押下されるのを待つ。
（Ｓ１１０４）
スキャンスタートキーが押下された場合には、ステップＳ１１０４へと進み、スキャン動作制御部１００２は原稿のスキャンを実施する。
（Ｓ１１０５）
そしてスキャンした原稿は第２排紙部１１０に排紙するよう排紙制御される。
このステップＳ１１０４からステップＳ１１０５の一連の原稿の動きおよびスキャン処理の詳細は、前記図３から図６の原稿Ｇのスキャン動作と同じであるため、ここでの説明は省略する。
（Ｓ１１０６）
次にステップＳ１１０６におけるファックス送信処理について説明する。ファックス送信処理は、前記ファックス送信動作制御部１００４によって実行される。ファックス送信動作制御部１００４は、前記ステップＳ１１０４により画像読み取り部１００に読み取られ、画像メモリ８０４に記憶された画像情報に対して、前記ステップＳ１１０２での設定に応じた画像変換処理を実施する。そして前記ステップＳ１１０２で設定された宛先へ、図示しないファックス回線を介して送信を開始する。
（Ｓ１１０７）
次にステップＳ１１０７では、このファックス送信処理が終了し、送信結果が確定するのを待つ。このファックス送信処理は、送信解像度や送信リダイヤルなどの設定に応じて多くの通信時間が必要となる場合がある。それにより、送信結果の確定に、例えば数分からそれ以上の時間がかかってしまうこととなる。
送信結果が確定しない場合は、ステップＳ１１０８に進む。
【００３４】
（Ｓ１１０８）
画像形成装置１は、ホストコンピュータ（図示せず）から、プリントコマンドを受信したかどうかを判断し、受信しない場合は、ステップＳ１１０７に戻る。ファックス送信結果が確定するまで、これを繰り返すことにより、ファックス送信結果が確定するのを待つ。
また、画像形成装置１が、ホストコンピュータからプリントコマンドを受信した場合、ステップＳ１１０９に進む。
（Ｓ１１０９）
ステップＳ１１０９では、ホストコンピュータから受信したプリントコマンドの印刷処理を実施する。特に、本実施例で特徴的な点である、済スタンプ印字待ちとなっている原稿は、ステップＳ１１０５で既に第２排紙部１１０に排紙している。これにより、ステップＳ１１０９にて実施する印刷処理では、原稿専用搬送路８１を使用することができる。
通常の印刷処理では、原稿専用搬送路８１を使用することはないが、原稿専用搬送路８１を使用すれば、前記図３から図６で説明したように両面読み取りが可能となる。これにより、ステップＳ１１０９での印刷処理では、通常の印刷処理に加えて、両面印刷した記録材Ｓを、続けて両面読み取りすることによって、印刷内容の確認、いわゆる検品を実施することも可能である。
【００３５】
一方ステップＳ１１０７において、送信処理が終了し、送信結果が確定したと送信結果判断されれば、ステップＳ１１１０に進む。
（Ｓ１１１０）
ステップＳ１１１０では、確定した送信結果と前記ステップＳ１１０２で設定された「済スタンプ」の印字条件（ここでは「成功時のみ」（図１４の１４０５）と設定済みの場合について説明する。）を比較する。
送信結果と済スタンプ印字条件が一致していた場合には、ステップＳ１１１１へと進む。
（Ｓ１１１１）
ステップＳ１１１１では、動作制御部１００１は第２排紙部１１０に排紙した原稿を再び第２給紙部９０から給紙できるように原稿を移動させる。
この時、移動の方法および移動タイミングは、原稿を第２排紙部１１０に排紙した際に常にそのまま第２給紙部９０に落ちるような構成としてもよい。または、ステップＳ１１１１のように再給紙が必要なタイミングで、第２排紙部１１０と第２給紙部９０を隔てる部材を画像形成装置１内部に引き込むことで、原稿を第２排紙部１１０から第２給紙部９０へ落とすような構成としてもよい。
（Ｓ１１１２）
最後にステップＳ１１１２では、図１５に示すように、印刷動作制御部１００３は第２給紙部９０から再給紙した原稿Ｇを、両面搬送路８０を通し、図１６に示す第１排紙部７０に排紙するまでの間に送信結果に応じた済スタンプの印字を行い、すべての処理を終了する。
【００３６】
本実施例によれば、ファックスの送信結果が確定する前に、印刷ジョブを行うことができ、ファックスの送信結果が確定した時に、「済スタンプ」を実施することができる。
【００３７】
＜実施例２＞
本実施例では、送信結果に応じた済スタンプを送信原稿に印字する際に、送信原稿とは異なる原稿に誤って済スタンプを印字してしまうことが無いように、再給紙した原稿の正しさを検証してから、済スタンプを印字する。
図１７および図１８を使用して、本実施形態におけるファックス送信時の済スタンプ印字方法について説明する。なお本フローに係る画像形成装置１のプログラムは、画像形成装置１のプログラムメモリ８０３に記憶されており、制御ＣＰＵ８０１が前記制御部１００１から１００４を用いることにより実行される。
【００３８】
（Ｓ１７０１−Ｓ１７１１）
最初に、ステップＳ１７０１からステップＳ１７１１までの処理は前記図１１のステップＳ１１０１からステップＳ１１１１と同じであるため、ここでの説明は省略する。
（Ｓ１７１２）
ステップＳ１７１２では、送信結果に応じた「済スタンプ」を印字するためにステップＳ１７１１で再給紙した原稿をスキャンする。
（Ｓ１７１３）
ステップＳ１７１３では、ステップＳ１７０４でスキャンした原稿とステップＳ１７１２でスキャンした原稿が一致しているかを確認するために、ステップＳ１７０４およびステップＳ１７１２で取得した画像情報を比較する。
（Ｓ１７１４）
ステップＳ１７１４では、ステップＳ１７１３での比較結果をもとに次の処理を切り替える。画像情報が一致していた場合には、ステップＳ１７１５へと進む。
（Ｓ１７１５）
ステップＳ１７１５では、送信結果に応じた「済スタンプ」の印字を行う。印字方法は、前記ステップＳ１１１２と同じであるため、ここでの説明は省略する。
【００３９】
（Ｓ１７１６）
一方、ステップＳ１７１４にて画像情報が一致していなかった場合には、
ステップＳ１７１６にて、ステップＳ１７１１にて再給紙した原稿が、ステップＳ１７０４でスキャンした原稿と異なるとして、画像形成装置１の図示しない操作パネルに、図１８に示す注意喚起の画面１８０１を表示する。注意喚起の画面１８０１には、操作者に対して「済スタンプ」を印字せずに終了することを通知するメッセージ１８０２を表示する。
（Ｓ１７１７）
ステップＳ１７１７では、ステップＳ１７１１にて再給紙した原稿に対して、「済スタンプ」を印字することなく第１排紙部７０に排紙して、全ての処理を終了する。
【００４０】
本実施例によれば、再給紙した原稿をスキャンし、ファックス送信した原稿と一致しているかどうかを判定し、一致した場合のみ済スタンプを印字するので、他のファックス原稿や、ファックス原稿以外に「済スタンプ」を印字することを防ぐことができる。
【００４１】
＜実施例３＞
上記実施例１及び２では、ファックス送信結果の確定前に、（１）別のファックスを送信した場合、（２）両面原稿を印刷し、印刷内容を確認した場合には、済スタンプを正しく印字することができなかった。
そこで、本実施例では、原稿を再給紙し、スキャンした結果、ファックス送信結果が確定した原稿と異なるものであるときは、該原稿を第２排紙部１１０へ排紙し、次の原稿を読み取り行う。この動作をすべての再給紙される原稿について行い、ファックス送信結果が確定した原稿と一致した場合は、済スタンプを印字して、第１排紙部７０へ排紙し、残余の原稿がある場合は、第２排紙部１１０へ排紙して終了する。この時、別の未確定のファックス送信がある場合は、そのファックス送信結果が確定するのを待機する状態に戻るようにすればよい。
以下、本実施例につき、実施例２のフローチャートである図１７を参照しつつ、異なる部分のみ詳述する。
【００４２】
ステップＳ１７１０の前までは、実施例２と同じであるため説明は省略する。
ステップＳ１７１０の時点で、第２排紙部１１０には、ファックス送信がされた原稿、ステップＳ１７０９にて、印刷され、印刷内容が確認された印刷物が積み上がっている。ファックスが複数送信された場合は、ファックスの送信結果が確定する順序は、送信先との関係で決まるため、Ｓ１７０７で送信結果が確定したファックス原稿が、第２排紙部１１０に積み上がっている原稿もしくは印刷物（以下「原稿等」という。）のどの位置にあるかは、分からない状態である。
（Ｓ１７１１）
第２排紙部１１０と第２給紙部９０を隔てる部材を画像形成装置１内部に引き込むことにより、第２排紙部１１０の原稿等全部を、第２給紙部９０に移動させる。この後、第２排紙部１１０と第２給紙部９０を隔てる部材は、引き出され第２排紙部１１０と第２給紙部９０を隔てて、原稿等が混ざらないようにする。
（Ｓ１７１１−Ｓ１７１４）
第２給紙部９０に積み上げられた原稿等を、上から一枚ずつスキャンし、送信結果が確定したファックスの画像と比較する。
（Ｓ１７１４以降）
一致しない場合は、第２排紙部１１０に排紙する。
一致した原稿等は、済スタンプ印字して、第１排紙部７０に排紙する。
第２給紙部９０の原稿等の全てのスキャン、画像比較の処理が終わり、送信結果が未確定のファックス送信原稿がある場合には、ステップＳ１７０７に戻り、未確定の原稿がない場合には、処理を終了する。
【００４３】
本実施例によれば、ファックス送信結果が確定する前に、複数のファックス送信をした場合、または、両面原稿を印刷し、印刷内容を確認した場合などでも、送信結果と「済スタンプ」印字条件が一致したファックス送信原稿すべてに対して、確実に「済スタンプ」を押すことができる。
【００４４】
以上のように、本発明によれば、ＡＤＦを搭載する複合機能付き画像形成装置において、原稿をスキャンしてファックス送信を行い、ファックス送信結果が確定した時に、送信結果を印字する場合においても、スキャンした原稿を排紙しておくために、紙搬送経路を占有することがなく、画像形成装置は、ファックス送信の結果が確定する前に、別の印刷ジョブなどが実行可能となるという効果を奏するものである。
【００４５】
なお、本願発明は、上記説明した技術思想の範囲内で、種々の実施形態を含むものであり、上記説明した実施例に限られることはない。
【符号の説明】
【００４６】
１・・・画像形成装置
３０・・・第１給紙部
７０・・・第１排紙部
８０・・・両面搬送路
８１・・・原稿専用搬送路
１１０・・・第２排紙部
Ｇ・・・原稿
Ｓ・・・記録材
【図１】
2016054429.tif 000003
【図２】
2016054429.tif 000004
【図３】
2016054429.tif 000005
【図４】
2016054429.tif 000006
【図５】
2016054429.tif 000007
【図６】
2016054429.tif 000008
【図７】
2016054429.tif 000009
【図８】
2016054429.tif 000010
【図９】
2016054429.tif 000011
【図１０】
2016054429.tif 000012
【図１１】
2016054429.tif 000013
【図１２】
2016054429.tif 000014
【図１３】
2016054429.tif 000015
【図１４】
2016054429.tif 000016
【図１５】
2016054429.tif 000017
【図１６】
2016054429.tif 000018
【図１７】
2016054429.tif 000019
【図１８】
2016054429.tif 000020